(57)【特許請求の範囲】
【請求項１】
上端に開口部（１２）を備え、内容物が収容される容器本体（１０）と、
係止環部（４１）が形成され、前記開口部（１２）に嵌め込まれ、前記容器本体（１０）の上端に位置するリング状のアダプター（４０）と、
前記容器本体（１０）の上端部に外側から結合される外筒部、アダプター（４０）の内側に嵌め込まれる内筒部、及び前記内筒部の中央に形成されるハウジング（５８）、を含むショルダー部材（５０）と、
前記ショルダー部材（５０）に装着される筒状の引張部材（６０）と、
中央部に排出通路（７１）を有し、前記ショルダー部材（５０）に結合される引張ガイド（７３）を含む分配部材（７０）と、
複数の排出口（８１）が形成された上端面部を有し、前記分配部材（７０）の上端部に結合される排出部材（８０）とを含んでなり、
塗布時に、容器本体（１０）に収容された内容物は、ショルダー部材（５０）のハウジング（５８）の内部、分配部材（７０）の排出通路（７１）及び排出口（８１）をこの順で通って排出され、
引張部材（６０）を介して、ショルダー部材（５０）と分配部材（７０）とが、弾性的に結合されており、
引張部材（６０）の弾性により、塗布時には排出部材（８０）が容器本体（１０）における中心軸を基準に一定の角度で動くことができ、塗布後には元の位置に戻ることを特徴とする、引張部材を備えた液状内容物容器。
【請求項２】
前記引張ガイド（７３）の下端部には係止突起（７４）が形成され、ショルダー部材（５０）の内筒部の上部には係止片（５１）が形成され、前記係止突起（７４）が前記係止片（５１）に係合することにより、排出部材（８０）がショルダー部材（５０）から分離されないようにしていることを特徴とする、請求項１に記載の引張部材を備えた液状内容物容器。
【請求項３】
前記引張ガイド（７３）は、分配部材（７０）の上面部から下方へと延びる、分配部材（７０）の外筒部を含み、前記係止突起（７４）は、この外筒部から延びており、この外筒部より壁厚が小さく、また、塗布時に弾性変形して塗布後に元の状態に戻ることを特徴とする、請求項２に記載の引張部材を備えた液状内容物容器。
【請求項４】
前記ショルダー部材（５０）は、その内筒部と、ハウジング（５８）との間に、リング状の凹部としての第１装着溝（５５）を有し、この第１装着溝（５５）に引張部材（６０）の下端部が嵌め合わされることを特徴とする、請求項１〜３のいずれかに記載の引張部材を備えた液状内容物容器。
【請求項５】
前記分配部材（７０）は、その内筒部と外筒部との間にリング状の凹部としての第２装着溝（７５）を有し、この第２装着溝（７５）に引張部材（６０）の上端部が嵌め合わされることを特徴とする、請求項１〜４のいずれかに記載の引張部材を備えた液状内容物容器。
【請求項６】
前記引張部材（６０）は、その上端部と下端部との間に、半径方向内側へのリング状凹部としての凹溝部（６１）を有することを特徴とする、請求項１〜５のいずれかに記載の引張部材を備えた液状内容物容器。
【請求項７】
前記分配部材（７０）の上端部は、分配部材（７０）の上面部の外周部から上方へと突き出す環状突起（７２）を含み、
排出部材（８０）は、排出部材（８０）の上端面部の外周部から下方へと突き出す突出リング部（８２）を含み、
環状突起（７２）と突出リング部（８２）とが、嵌合により互いに結合され、分配部材（７０）と排出部材（８０）との間には、塗布時に、内容物を拡散させる空間が形成されることを特徴とする、請求項１〜６のいずれかに記載の引張部材を備えた液状内容物容器。
【請求項８】
アダプター（４０）の係止環部（４１）は、ハウジング（５８）の下端部と、容器本体（１０）の上端部との間に挟み込まれ、これにより、アダプター（４０）が、容器本体（１０）と、ハウジング（５８）との間の密閉を行うことを特徴とする、請求項１〜７のいずれかに記載の引張部材を備えた液状内容物容器。
【請求項９】
容器本体（１０）の上端部に、内向きフランジが備えられ、アダプター（４０）のリング状本体部分は、ショルダー部材（５０）の内筒部と、容器本体（１０）の内向きフランジとの間に挟み込まれ、アダプター（４０）の係止環部（４１）は、ハウジング（５８）の下端部と、容器本体（１０）の内向きフランジとの間に挟み込まれることを特徴とする、請求項８に記載の引張部材を備えた液状内容物容器。
【請求項１０】
前記容器本体（１０）は、中央にネジ棒（２２）が形成された回転部材（２０）と、前記回転部材（２０）の回転動作により上方に移動するピストン（３０）とをさらに含むことを特徴とする、請求項１〜９のいずれかに記載の引張部材を備えた液状内容物容器。
【請求項１１】
前記ピストン（３０）は外周面の下端には、容器本体（１０）の内壁に密着するピストンリブ（３４）が形成されることを特徴とする、請求項１０に記載の引張部材を備えた液状内容物容器。
【請求項１２】
前記ハウジング（５８）の内部には、ハウジング（５８）の下端に形成された開閉孔（５３）を開閉する開閉部材（５６）と、開閉部材（５６）に押し下げる方向の力を加える弾性部材（５７）が装着されることを特徴とする、請求項１〜１１のいずれかに記載の引張部材を備えた液状内容物容器。
【請求項１３】
前記排出部材（８０）は、上端面部の上面に備え付けられたパフシート（９０）をさらに含むことを特徴とする、請求項１〜１２のいずれかに記載の引張部材を備えた液状内容物容器。
【発明の詳細な説明】
【技術分野】
【０００１】
本発明は、引張部材を備えた液状内容物容器に係り、さらに詳しくは、排出部材の下側に引張部材を備えることにより、排出部材が容器本体に対して一定の角度で動くことができて便利に化粧をすることができる、引張部材を備えた液状内容物容器に関する。
【背景技術】
【０００２】
一般に、化粧とは、身体の美しい部分を引き立つようにし、さらに身体の弱点を修正するためのことである。女性は、より美しく飾るための手段の一つとして顔に化粧をする。特に、スキンケアおよび美しさのために基礎化粧だけでなく、メーキャップ化粧を行うが、メーキャップ化粧料組成物の中でも、ファンデーションは、肌の欠点を隠し、ナチュラルな肌色のメイクアップ効果を示す代表的なメーキャップ化粧料であり、主に粉状ファンデーション、固形ファンデーション、液状ファンデーションなどが使用される。
【０００３】
粉状ファンデーションの場合は、パウダーが飛散し、顔への塗布時の密着感に劣る欠点があり、固形ファンデーションの場合は、使用感が乾燥し、凝集するおそれがあり、化粧持続性に劣るという問題点がある。
【０００４】
このような問題点を解決するために、最近では、軽い感じとしっとりとした水分感を与えてさわやかな使用感を示す液状内容物のファンデーションが開発され、その利便さにより使用頻度が益々増えている傾向にある。
【０００５】
また、メーキャップ化粧料である液状ファンデーションを使用するには、別の化粧道具であるパフが必要である。
【０００６】
従来の液状化粧品容器は、使用者が化粧容器から内容物を排出させ、排出された内容物を使用者の手やパフなどにつけた後、これを所望の部位に塗るのが一般的であった。
【０００７】
前述した従来の液状化粧容器は、手を使って化粧をすると、内容物が汚染することもあり、化粧の後に手がべたつくという問題点があった。
【０００８】
また、パフを用いて液状ファンデーションを使用する場合には、常にパフを別途備え、パフに内容物をとって使用しなければならない使用上の面倒な問題点もある。
【０００９】
このような問題点を解決するために、本出願人は、韓国実用新案登録出願第２０−２０１３−０００２８１３号では内容物を備える容器本体にパフが一体型に形成された、混合部材を備えた液状内容物容器を提案した。
【００１０】
しかし、従来の混合部材を備えた液状内容物容器を用いて化粧をするとき、人の顔は屈曲があり立体的であるため、容器本体に固定された排出部材を用いて化粧を行うには不便な問題点があった。
【発明の概要】
【発明が解決しようとする課題】
【００１１】
本発明は、かかる問題点を解決するために案出されたもので、その目的は、排出部材の下側に引張部材を備えることにより、排出部材を容器本体に対して一定の角度で動くことができて便利に化粧を行うことができる、引張部材を備えた液状内容物容器を提供することにある。
【００１２】
本発明の他の目的は、化粧の際に化粧品を手につけることなく化粧を行うことができる、引張部材を備えた液状内容物容器を提供することにある。
【課題を解決するための手段】
【００１３】
本発明は、内容物が収容される容器本体１０と、
前記容器本体１０の下部に結合される回転部材２０と、
前記回転部材２０の回転動作によって上方に移動するピストン３０と、
前記容器本体１０の上端に装着されるアダプター４０と、
前記容器本体１０の上端に結合されるショルダー部材５０と、
前記ショルダー部材５０に装着される引張部材６０と、
前記ショルダー部材５０に結合される分配部材７０、および
前記分配部材７０に結合される排出部材８０を含んで構成されることを特徴とする、引張部材を備えた液状内容物容器を提供する。
【００１４】
前記回転部材２０は、中央にネジ棒２２が形成されることが好ましい。
【００１５】
前記ピストン３０は、中央にネジ穴３２が形成され、外周面の下端には内容物を押し上げるピストンリブ３４が形成されることが好ましい。
【００１６】
前記ショルダー部材５０は中央にハウジング５８が形成され、前記ハウジング５８の内部には開閉部材５６と弾性部材５７が装着されることを特徴とする。
【００１７】
前記ショルダー部材５０は、ハウジング５８の外側に第１装着溝５５が形成されることを特徴とする。
【００１８】
前記ハウジング５８は、内側の下端に装着部５２が形成されることを特徴とする。
【００１９】
前記ショルダー部材５０は、蓋体１００が嵌合されることが好ましい。
【００２０】
前記引張部材６０は、天然ゴムまたはエラストマー、シリコーンゴム、ＮＢＲゴム、または弾性に優れた合成樹脂材の中、一つ以上からなることを特徴とする。
【００２１】
前記引張部材６０は中間に凹溝部６１が形成されることを特徴とする。
【００２２】
前記分配部材７０は下側に引張ガイド７３が形成され、前記引張ガイド７３の端部には係止突起７４が形成されることを特徴とする。
【００２３】
前記分配部材７０は下側に第２装着溝７５が形成されることを特徴とする。
【００２４】
前記排出部材８０は排出口８１と突出リング部８２が形成されることを特徴とする。
【００２５】
前記排出部材８０は上端の外周面にパフシート９０がさらに形成されることを特徴とする。
【発明の効果】
【００２６】
本発明に係る引張部材を備えた液状内容物容器は、排出部材の下側に引張部材を備えることにより、排出部材が容器本体に対して一定の角度で動かして便利に化粧をすることができるという効果がある。
【００２７】
また、本発明に係る引張部材を備えた液状内容物容器は、化粧を行うときに化粧品を手につけることなく化粧を行うことができるという効果がある。
【図面の簡単な説明】
【００２８】
【図１】本発明に係る引張部材を備えた液状内容物容器の結合斜視図である。
【図２】本発明に係る引張部材を備えた液状内容物容器の分離斜視図である。
【図３】本発明に係る引張部材を備えた液状内容物容器の結合断面図である。
【図４】本発明に係る引張部材を備えた液状内容物容器の蓋を外した後、回転部材を回転させる状態を示す断面図である。
【図５】本発明に係る引張部材を備えた液状内容物容器を使用する状態図である。
【図６】本発明に係る引張部材を備えた液状内容物容器を使用する状態図である。
【発明を実施するための形態】
【００２９】
以下、本発明に係る引張部材を備えた液状内容物容器の一実施形態を添付図面に基づいて説明する。
【００３０】
図１は本発明に係る引張部材を備えた液状内容物容器の結合斜視図であり、図２は本発明に係る引張部材を備えた液状内容物容器の分離斜視図であり、図３は本発明に係る引張部材を備えた液状内容物容器の結合断面図であり、図４は本発明に係る引張部材を備えた液状内容物容器の蓋を外した後、回転部材を回転させる状態を示す断面図であり、図５及び図６は本発明に係る引張部材を備えた液状内容物容器を使用する状態図である。
【００３１】
本発明の一実施形態に係る引張部材を備えた液状内容物容器は、内容物が収容される容器本体１０と、前記容器本体１０の下部に結合される回転部材２０と、前記回転部材２０の回転動作により上方に移動するピストン３０と、前記容器本体１０の上端に装着されるアダプター４０と、前記容器本体１０の上端に結合されるショルダー部材５０と、前記ショルダー部材５０に装着される引張部材６０と、前記ショルダー部材５０に結合される分配部材７０と、及び前記分配部材７０に結合される排出部材８０とを含んで構成される。
【００３２】
前記容器本体１０は、上部に開口部１２を有し、上端外周面には容器本体ネジ山１４が形成される。
【００３３】
前記容器本体１０は、搾り出し（ｓｑｕｅｅｚｅ）が可能なチューブタイプの容器から形成されてもよい。
【００３４】
この場合、前記回転部材２０とピストン３０は必要としない。
【００３５】
前記開口部１２の上端にはアダプター４０が装着される。
【００３６】
また、前記容器本体１０の上端にショルダー部材５０が結合されることにより、前記ショルダー部材５０の内側に形成されたショルダー部材ネジ山５４と、容器本体１０の外側に形成された容器本体ネジ山１４とが互いに螺合される。
【００３７】
前記容器本体１０は、下部に回転溝１６が形成されて回転部材２０の回転突起２６に嵌合される。
【００３８】
前記回転部材２０は、容器本体１０の下端に回動可能に嵌合される。図３に示すように、前記回転部材２０の回転突起２６と容器本体１０の回転溝１６とが互いに嵌合されて回動できるように噛み合って構成される。
【００３９】
前記回転部材２０は、中央にネジ棒２２が形成されてピストン３０を上昇させる役割を果たす。
【００４０】
前記ピストン３０は、中央にネジ穴３２が形成され、外周面の下端には内容物を押し上げるピストンリブ３４が形成される。
【００４１】
前記ネジ穴３２は、回転部材２０のネジ棒２２に螺合され、回転部材２０を回転させるときにピストン３０が上昇する。
【００４２】
前記ピストンリブ３４は、ピストン３０の外周面に形成され、容器本体１０の内壁に密着して内容物のリークなしに押し上げ、また、容器本体１０の内壁に密着するため、摩擦力によって回転部材２０を回転させるとき、ピストン３０がネジ棒２２と一緒に回らずにピストンを上方に上昇させる役割を果たす。
【００４３】
前記アダプター４０は下側に係止環部４１が形成され、前記係止環部４１は容器本体１０の開口部１２に装着されて容器本体１０を密閉させる。
【００４４】
前記アダプター４０の中央は、ショルダー部材５０のハウジング５８に接することにより、容器本体１０の内容物がリークすることを防止する役割を果たす。
【００４５】
前記ショルダー部材５０は、容器本体１０の上端の開口部１２に結合される。
【００４６】
前記ショルダー部材５０は、上面に係止片５１が形成され、中央にハウジング５８が形成され、前記ハウジング５８の外側には第１装着溝５５が形成される。
【００４７】
前記ショルダー部材５０の下端内周面には、ショルダー部材ネジ山５４が形成されることにより、容器本体１０の上端外周面の容器本体ネジ山１４に螺合される。
【００４８】
前記係止片５１は、分配部材７０の係止突起７４に係合され、前記分配部材７０をショルダー部材５０に係合させる役割を果たす。
【００４９】
前記ハウジング５８は内側の下端に装着部５２が形成され、前記装着部５２には開閉部材５６と弾性部材５７が装着される。
【００５０】
前記開閉部材５６は、容器本体１０の内容物を外部に排出させるとき、ハウジング５８の下端中央に形成された開閉孔５３を開閉する役割を果たす。
【００５１】
回転部材２０の回転運動によって内容物が外部に排出されるときに、圧力を受けて開閉部材５６を上昇させることにより開閉孔５３を開放して内容物を排出した後、圧力が減少すると、弾性部材５７の弾性力によって開閉部材５６が開閉孔５３を塞ぐ。
【００５２】
また、前記ショルダー部材５０には蓋体１００を結合することにより、本発明の引張部材を備えた液状内容物容器の排出口が外部に露出することを防止することもできる。
【００５３】
前記第１装着溝５５はハウジング５８の外側に形成され、前記第１装着溝５５には引張部材６０の下端部が嵌合される。
【００５４】
前記引張部材６０は、中央に凹溝部６１を形成し、天然ゴムまたはエラストマー、シリコーンゴム、ＮＢＲゴム、または弾性に優れた合成樹脂材の中、一つ以上から構成できる。
【００５５】
前記引張部材６０は、下端部がショルダー部材５０の第１装着溝５５に嵌合され、上端部は分配部材７０の第２装着溝７５に嵌合される。
【００５６】
前記凹溝部６１は、引張部材６０が動くときに容易に曲げられるような役割を果たす。
【００５７】
前記引張部材６０がショルダー部材５０と分配部材７０を弾性的に結合させているため、使用者が本発明の引張部材を備えた液状内容物容器を使用するときに、排出部材８０が容器本体１０における中心軸を基準に一定の角度で動くことができて便利に化粧を行うことができ、使用した後には引張部材６０の弾性によって元の位置に戻る。
【００５８】
前記分配部材７０はショルダー部材５０の上端に結合される。前記分配部材７０は、下側に第２装着溝７５が形成され、ショルダー部材５０に係合される係止突起７４を有する引張ガイド７３と、内容物が排出される排出通路７１と、排出部材８０に結合する環状突起７２とから構成されている。
【００５９】
前記第２装着溝７５は、分配部材７０の下側に形成されて引張部材６０の上端部が嵌合される。
【００６０】
前記引張ガイド７３は、分配部材７０の下端に一体に延設され、端部の外周面に係止突起７４を有する。
【００６１】
前記引張ガイド７３は、引張部材６０によって排出部材８０が一定の角度で動くとき、前記排出部材８０が動ける空間を確保する役割を果たす。
【００６２】
前記係止突起７４は、ショルダー部材５０の上面に形成された係止片５１に係合され、使用者が本発明の引張部材を備えた液状内容物容器を使用するとき、排出部材８０が前記ショルダー部材５０から分離されないようにする。
【００６３】
前記排出通路７１は、分配部材７０の内側に形成され、容器本体１０の内容物が排出されるときに移動する通路の役割を果たす。排出通路７１は、円滑な内容物排出のために多数個形成できる。
【００６４】
前記環状突起７２は、分配部材７０の上端に形成され、排出部材８０の突出リング部８２に嵌合する。
【００６５】
前記排出部材８０は、分配部材７０を通過した内容物を排出する役割を果たし、排出口８１と突出リング部８２を含んで構成されている。
【００６６】
前記排出口８１は、分配部材７０を通過した内容物が排出されるところに内容物を均一に排出するために、図２に示すように、中心軸を基準に放射状に排出口８１が形成できる。
【００６７】
前記排出口８１を通過した内容物を、排出口８１が形成された排出部材８０の上端面で肌に直接塗布して使用してもよく、別のパフで内容物をつけて使用してもよい。
【００６８】
さらに、図３に示すように、排出口８１が形成された表面にパフシート９０を被せて使用してもよい。
【００６９】
前記パフシート９０は、排出部材８０の排出口８１の表面を覆うように形成される。
【００７０】
また、前記パフシート９０は、内容物がよく通過し、且つ皮膚と接触したときに使用者が違和感を持たないように、綿、織物地、発泡ＮＢＲ、ルビーセル及びポリエステルの中、一つ以上からなり、排出部材８０に被せて突出リング部８２に係止して固定されなければならないため、伸縮性を有するスポンジまたは軟質のウレタンフォームで形成されてもよい。
【００７１】
前記突出リング部８２は、分配部材７０の環状突起７２に嵌合してパフシート９０が排出部材８０から分離されないようにする役割を果たす。
【００７２】
前記分配部材７０と排出部材８０との間の空間には、多孔性フォームからなるスポンジがさらに装着されることが可能である。これは、内容物が水相と油相に分離されたとしても、前記スポンジを通過しながら水相と油相とが混合されて排出されるようにする役割を果たす。
【００７３】
次に、本発明の一実施形態に係る引張部材を備えた液状内容物容器の組立方法及び使用状態を詳細に説明する。
【００７４】
本発明は、容器本体１０の下端にピストン３０が結合された回転部材２０を容器本体１０に結合する。その後、容器本体１０に内容物を注入した後、アダプター４０を容器本体１０の上端に装着し、ショルダー部材５０を容器本体１０の容器本体ネジ山１４に螺合する。前記ショルダー部材５０の中央にはハウジング５８が形成され、前記ハウジング５８の内部には開閉部材５６と弾性部材５７を順次装着する。次に、引張部材６０をショルダー部材５０の第１装着溝５５に嵌合した後、前記ショルダー部材５０の上端に分配部材７０を嵌合する。このとき、分配部材７０の第２装着溝７５に引張部材６０の上端が嵌合される。分配部材７０の上端には、分配部材７０の環状突起７２に結合する突出リング部８２を備えた排出部材８０を嵌合する。前記排出部材８０は、放射状の排出口８１を有しており、肌に直接塗布してもよく、別のパフで内容物をつけて使用してもよい。さらに、使用の際に柔らかい塗布感を与えるために、図３に示すようにパフシート９０を排出部材８０に被せて使用してもよい。
【００７５】
前述の方法で組み立てられた引張部材を備えた液状内容物容器は、図４に示すように、容器本体１０の下端の回転部材２０を回転させると、ネジ棒２２の回転によりピストン３０が上昇する。このとき、ピストン３０が容器本体１０内の内容物を加圧することにより、ショルダー部材５０内のハウジング５８に設置された開閉部材５７が塞いでいた開閉孔５３を開放する。その後、内容物が分配部材７０の排出通路７１を通過して排出部材８０の排出口８１から排出される。
【００７６】
この時、図５及び図６に示すように、人間の顔は、屈曲があって立体的であるから、本発明の引張部材を備えた液状内容物容器を使用するときに、排出部材８０の下側に備えられた引張部材６０により前記排出部材８０が容器本体１０における中心軸を基準に一定の角度で動くことができて便利に化粧を行うことができるという利点がある。
【００７７】
以上、本発明で説明したものは、ゴム排出パッドを備えたファンデーション容器を実施するための一実施形態に過ぎない。本発明は、前述した一実施形態に限定されるものではない。添付された請求の範囲で請求するように、本発明の要旨を逸脱することなく、当該発明の属する分野における通常の知識を有する者であれば、誰でも様々な変更実施が可能な範囲まで本発明の範囲に属するものとみなされるべきである。
【符号の説明】
【００７８】
１０    容器本体
１２    開口部
１４    容器本体ネジ山
１６    回転溝
２０    回転部材
２２    ネジ棒
２６    回転突起
３０    ピストン
３２    ネジ穴
３４    ピストンリブ
４０    アダプター
４１    係止環部
５０    ショルダー部材
５１    係止片
５２    装着部
５３    開閉孔
５４    ショルダー部材ネジ山
５５    第１装着溝
５６    開閉部材
５７    弾性部材
５８    ハウジング
６０    引張部材
６１    凹溝部
７０    分配部材
７１    排出通路
７２    環状突起
７３    引張ガイド
７４    係止突起
７５    第２装着溝
８０    排出部材
８１    排出口
８２    突出リング部
９０    パフシート
１００    蓋体
【図１】
0006285548.tif 000002
【図２】
0006285548.tif 000003
【図３】
0006285548.tif 000004
【図４】
0006285548.tif 000005
【図５】
0006285548.tif 000006
【図６】
0006285548.tif 000007